(57)【要約】【課題】使用時における騒音、振動を一層効果的に低減することができ、かつ、簡単に施工することができる静音階段を提供する。【解決手段】水平部５ａ及び垂直部５ｂを有するひな壇状の側板５と、水平部５ａの上に両端部が載置される段板７と、弾性材料からなる防振材９とによって構成される静音階段１において、防振材９として、平板状の基部の一方の面において突起が多数形成されているものが使用され、側板５の各水平部５ａに、防振材９の長さ寸法に対応した大きさの凹部５ｃが形成され、防振材９の下半部が凹部５ｃ内に嵌合するとともに、段板７の下面と側板５の水平部５ａとの間に隙間が形成されるように構成され、防振材９と側板５とが、接着剤のみによって接合されていることを特徴とする。【選択図】図２
2018071054.tif 000002
【特許請求の範囲】
【請求項１】
水平部及び垂直部を有するひな壇状の側板と、水平部の上に両端部が載置される段板と、弾性材料からなる防振材とによって構成され、
側板の水平部及び／又は段板の端部の下面に、防振材の長さ寸法に対応した大きさの凹部が形成され、
凹部内に防振材の下半部及び／又は上半部が嵌合されるとともに、側板の水平部と段板の下面との間に隙間が形成されるように構成され、
凹部と防振材とが、接着剤のみによって接合されていることを特徴とする静音階段。
【請求項２】
凹部が、側板の一つの水平部及び／又は段板の一つの端部に少なくとも二つずつ、側板の長手方向へ間隔を置いて形成され、各凹部内に防振材が嵌合されていることを特徴とする、請求項１に記載の静音階段。
【請求項３】
防振材として、平板状の基部の一方の面において突起が多数形成されているものが使用されていることを特徴とする、請求項１又は請求項２に記載の静音階段。
【請求項４】
凹部が側板の水平部に形成され、突起が下方側となる向きで防振材が段板の下面に当接され、ビスが下方側から突起の間の位置に打ち込まれて、ビスの頭部が突起の下端よりも上方に位置するように防振材が段板の下面にビス止めされていることを特徴とする、請求項３に記載の静音階段。
【請求項５】
凹部が段板の端部の下面に形成され、突起が上方側となる向きで防振材が側板の水平部に当接され、ビスが、上方側から突起の間の位置に打ち込まれて、ビスの頭部が突起の上端よりも下方に位置するように防振材が側板の水平部にビス止めされていることを特徴とする、請求項３に記載の静音階段。
【請求項６】
防振材の各突起の先端面が平坦で、各突起の基部からの突出量が均一であることを特徴とする、請求項３〜５のいずれかに記載の静音階段。
【発明の詳細な説明】
【技術分野】
【０００１】
本発明は、木造建築において施工される内階段に関し、特に、使用時における騒音や振動の発生及び伝達を効果的に低減することができる静音階段に関する。
【背景技術】
【０００２】
小規模な（例えば、入居世帯数が４〜１２戸程度の）二階建て賃貸用木造集合住宅には様々な形態があり、従来は、二階の入居世帯用の共同階段が建屋の外壁に設置されているタイプのものが主流であったが、近年では、二階の入居世帯用の玄関が一階に住戸別に設置され、それらの二階用の住戸別玄関が、一階の入居世帯用の住戸別玄関と交互に配列されるようなタイプのものも施工されている。
【０００３】
このタイプの集合住宅においては、二階の入居者は、一階の住戸別玄関とその奥の専用内階段を通って、二階の居室への出入りを行うことになるが、この内階段は、玄関が隣接する一階の住戸の居室と、界壁（集合住宅において各住戸の間を仕切る壁）一枚を隔てて隣接しているため、階段使用時の騒音や振動が問題となる。
【０００４】
より具体的には、木造住宅において施工される内階段は、昇降時の騒音や振動が他の部屋へ伝達されてしまうという問題があるところ、一戸建て住宅においては、通常、階段使用者は同居者等に限定されているため、階段昇降時に多少の騒音や振動が発生しても問題になることはないが、上記のような複数世帯が入居する木造集合住宅において、内階段の使用時に騒音や振動が発生すると、入居世帯間で問題が生じかねない。
【先行技術文献】
【特許文献】
【０００５】
【特許文献１】実開平０３−７１０２９号公報
【特許文献２】実開平０５−２８８２４号公報
【特許文献３】特開平１１−１５９０９５号公報
【特許文献４】特開２０１６−８９４１５号公報
【発明の概要】
【発明が解決しようとする課題】
【０００６】
階段使用時に生じる騒音や振動を低減するための方法として、段板と、これを支持する部材との間に、弾性材料からなる防振材を配置することが知られている（特許文献１〜４参照）。この場合、階段使用者が段板を踏み込んだ際に段板に作用する衝撃をある程度吸収することができ、一定の範囲で騒音、振動の低減効果を期待することができるが、従来の静音階段においては、図４に示すように段板７から側板５まで貫通するようにビス１５が打ち込まれることによって段板７が固定されていたため、階段使用時の振動が、このビス１５によって段板７から側板５まで伝達されることになり、防振材９による騒音、振動の低減効果が半減してしまうという問題があった。
【０００７】
本発明は、このような従来技術における問題を解決しようとするものであって、使用時における騒音、振動を一層効果的に低減することができ、かつ、簡単に施工することができる静音階段を提供することを目的とする。
【課題を解決するための手段】
【０００８】
本発明に係る静音階段は、水平部及び垂直部を有するひな壇状の側板と、水平部の上に両端部が載置される段板と、弾性材料からなる防振材とによって構成され、側板の水平部及び／又は段板の端部の下面に、防振材の長さ寸法に対応した大きさの凹部が形成され、凹部内に防振材の下半部及び／又は上半部が嵌合されるとともに、側板の水平部と段板の下面との間に隙間が形成されるように構成され、凹部（側板の凹部及び／又は段板の凹部）と防振材とが、接着剤のみによって接合されていることを特徴としている。尚、凹部は、側板の一つの水平部及び／又は段板の一つの端部に少なくとも二つずつ、側板の長手方向へ間隔を置いて形成され、各凹部内に防振材が嵌合されていることが好ましい。
【０００９】
また、防振材として、平板状の基部の一方の面において突起が多数形成されているものが使用されることが好ましく、凹部が側板の水平部のみに形成され、防振材が段板の下面にビス止めされる場合には、突起が下方側となる向きで防振材が段板の下面に当接され、ビスが、下方側から突起の間の位置に打ち込まれて、ビスの頭部が突起の下端よりも上方に位置するように構成されていることが好ましい。
【００１０】
また、凹部が段板の端部の下面のみに形成され、防振材が側板の水平部にビス止めされる場合には、突起が上方側となる向きで防振材が側板の水平部に当接され、ビスが、上方側から突起の間の位置に打ち込まれて、ビスの頭部が突起の上端よりも下方に位置するように構成されていることが好ましい。
【００１１】
更に、防振材の各突起の先端面は、いずれも平坦であることが好ましく、各突起の基部からの突出量は均一であることが好ましい。
【発明の効果】
【００１２】
本発明に係る静音階段においては、防振材と側板又は段板の凹部とが接着剤のみによって（段板から側板まで貫通するビスを打ち込むことなく）接合されているため、階段使用時において段板が荷重を受けた際に生じる騒音及び外部へ伝達される振動を効果的に低減することができる。また、防振材が、側板又は段板の凹部に嵌合する構造となっているため、防振材及び段板が、水平方向へ移動することを好適に防止することができる。
【００１３】
また、本発明に係る静音階段は、簡単な作業のみで、容易に施工することができる。また、段板と側板の水平部との間に特殊な形状の防振材（平板状の基部の一方の面において突起が多数形成されている防振材）を配置した場合には、より一層効果的に振動を低減することができる。
【図面の簡単な説明】
【００１４】
【図１】図１は、本発明の第一実施形態に係る静音階段の部分的な側面図である。
【図２】図２は、図１に示す段板７、蹴込み板８等の断面図である。
【図３】図３は、図１及び図２に示す防振材９の斜視図である。
【図４】図４は、従来の静音階段における段板７、蹴込み板８等の断面図である。
【図５】図５は、騒音、振動の低減性能について行った試験（実施例）において使用した静音階段の試験モデル２１（比較例１）、及び、試験モデル２２（本発明１）の斜視図である。
【図６】図６は、騒音、振動の低減性能について行った試験（実施例）において使用した静音階段の試験モデル２３（比較例２）、及び、試験モデル２４（本発明２）の斜視図である。
【図７】図７は、騒音、振動の低減性能について行った試験（実施例）の結果を示すグラフである。
【発明を実施するための形態】
【００１５】
以下、添付図面に沿って、本発明に係る静音階段の実施形態について説明する。図１は、本発明の第一実施形態に係る静音階段１の側面図であり、図２は、その部分的な断面図である。これらの図に示されているように、この静音階段１は、水平部５ａ及び垂直部５ｂを有するひな壇状の側板５と、水平部５ａの上に両端部が載置される段板７と、垂直部５ｂに両端部が当接される蹴込み板８と、弾性材料からなる防振材９（防振ゴム）とによって構成されている。
【００１６】
本実施形態の静音階段１において最も特徴的なことは、図２に示すように、段板７から側板５まで貫通するビスが打ち込まれていないという点である。従来の静音階段においては、図４に示すように段板７から側板５まで貫通するようにビス１５が打ち込まれることによって段板７が固定されていたため、階段使用時の振動が、このビス１５によって段板７から側板５まで伝達されることになり、防振材９による騒音、振動の低減効果が半減してしまうという問題があったが、本実施形態の静音階段２においては、防振材９と側板５とが接着剤のみによって接合されているため、段板７から側板５までビスを介して振動が伝達されることを好適に回避し、騒音、振動を効果的に低減することができる。
【００１７】
尚、本実施形態の静音階段１では、防振材９は、図２に示すように下方側から打ち込んだビス１４によって段板７に固定されている。また、図４に示すように従来の静音階段においては、防振材９として、側板５の水平部５ａのうち、段板７が載置される部分（水平部５ａと段板７の重合部分）の長さ寸法と等しい長さのものが使用され、水平部５ａと段板７の重合部分の全体にわたって防振材９が配置されていたが、本実施形態においては、重合部分の約３０％の長さ寸法（６０ｍｍ）の防振材９が、段板７の両端部にそれぞれ二つずつ、水平部５ａの長手方向へ間隔を置いて配置されている。
【００１８】
このように、段板７から側板５まで貫通するビスが打ち込まれず、防振材９と側板５とが接着剤のみによって接合される構造とした場合、接着剤の接着力を超える力が段板７に作用したような場合に、段板７と防振材９とが水平方向（図１及び図２において右側）へ移動してしまうことが懸念されるが、本実施形態においては、図１及び図２に示すように、防振材９の長さ寸法に対応した大きさの凹部５ｃが、側板５の各水平部５ａに二つずつ形成されており、二つの防振材９の各下半部が、凹部５ｃ内に嵌合する構造となっている。このため、段板７と防振材９が水平方向へ移動することを好適に防止することができる。
【００１９】
尚、本実施形態においては、この凹部５ｃの深さ寸法は７ｍｍに設定されており、凹部５ｃ内に嵌合する防振材９の全体の厚さ寸法は１０ｍｍとなっているため、図２に示すように、段板７の下面と側板５の水平部５ａとの間には隙間（３ｍｍ）が形成されることになる。
【００２０】
また、本実施形態においては、図３に示すように、平板状の基部９ａの一方の面において円柱状の突起９ｂ（直径８ｍｍ）が多数、より具体的には２４個（少なくとも８個以上とすることが好ましい。）形成されている防振材９（ゴム硬度Ａ６０（単位：Ｈｓ））が用いられている。尚、この防振材９の基部９ａの厚さ寸法、及び、突起９ｂの突出寸法はいずれも５ｍｍ（全体の厚さ寸法は１０ｍｍ）に設定されている。
【００２１】
また、防振材９を段板７に固定するためのビス１４（図２参照）は、図３に示す突起９ｂの間の位置に打ち込むことにより、頭部（ビス頭）を、突起９ｂの下端よりも上方（基部９ａの下面付近）に位置させることができ、防振材９を側板５の凹部５ｃに嵌合させた際に、ビス１４が凹部５ｃと接触しない状態とすることができる。
【００２２】
防振材９と側板５（凹部５ｃ）の接合に使用される接着剤は、防振材９の各突起９ｂの下面及び隙間に塗布される。従って、防振材９の各突起９ｂの下面（先端面）は、凹部５ｃとの接着面積ができるだけ大きくなるように、平坦な形状とすることが好ましく、また、各突起９ｂの基部９ａからの突出量は均一であることが好ましい。
【００２３】
尚、段板７の下面には、先端側縁部に沿って、図１に示すような溝７ａが形成されており、段板７を側板５の水平部５ａ上に載置する際、その下段側に配置した蹴込み板８の上端縁８ａを、図２に示すように、溝７ａ内に進入させ、嵌合できるようになっている。
【００２４】
本実施形態の静音階段は、上述したように、防振材９と側板５とが接着剤のみによって接合されている（段板７から側板５までビスを貫通させる構造とはなっていない）ため、また、段板７とこれを支持する側板５の水平部５ａとの間に特殊な形状の防振材９が配置されているため、階段使用時において段板７が荷重を受けた際に生じる騒音及び外部へ伝達される振動を効果的に低減することができる。
【００２５】
尚、上記第一実施形態においては、図１及び図２に示すように、防振材９が嵌合する凹部５ｃが側板５の水平部５ａに形成され、防振材９は、突起９ｂが下方側となる向きでビス１４により段板７の下面に固定されているが、防振材９が嵌合する凹部が段板７の下面に形成され（図示せず）、防振材９は、突起９ｂが上方側となる向きでビス１４により側板５の水平部５ａに固定され、防振材９の上半部を段板７の凹部（図示せず）内に嵌合させるとともに、防振材９と段板７の凹部（図示せず）とが、防振材９の各突起９ｂの上面及び隙間に塗布された接着剤によって接合され、段板７が固定されるようにしてもよい。
【００２６】
また、防振材９が嵌合する凹部を、側板５の水平部５ａと、段板７の下面の両方に形成し、防振材９をそれらの凹部内に嵌合させるとともに、接着剤によって段板７と防振材９、及び、防振材９と側板５とを接合するようにしてもよい。但しこの場合も、上記第一実施形態と同様に、段板７と側板５の水平部５ａとの間に隙間（３ｍｍ程度）が形成されることが必要である。
【００２７】
また、上記第一実施形態においては、防振材９として、図３に示すような円柱状の突起９ｂが多数形成されているものが使用されているが、この防振材９の代わりに、厚さ寸法が均一で、上面及び下面がいずれもフラットな平板状の防振材（図示せず）を使用することもできる。但し、この平板状の防振材を段板に対してビス止めする場合には、段板に当接される面とは反対側の面に、ビス頭を飲み込むことができる寸法の深座ぐりを形成しておき、防振材を側板の凹部に嵌合させた際に、ビス頭が側板の凹部に接触しない状態とすることが必要である。反対に、防振材を側板に対してビス止めし、段板の凹部に嵌合させる場合も同様である。
【００２８】
以下、本発明に係る静音階段における騒音、振動の低減性能について行った試験の結果を本発明の実施例として説明する。
【実施例】
【００２９】
図５に示すような静音階段の試験モデル２１（比較例１）、試験モデル２２（本発明１）、及び、図６に示すような試験モデル２３（比較例２）、試験モデル２４（本発明２）を用意し、段板７の上に、３０ｃｍの高さからインパクトボール１１を落下させ、段板７の下方の床板１２に伝達される振動を加速度ピックアップにより計測する試験を行った。
【００３０】
より詳細には、図５に示す試験モデル２１（比較例１）及び、試験モデル２２（本発明１）はいずれも、左右の側板５，５と段板７の両端部との間に、厚さ寸法が均一で上面及び下面がいずれもフラットな平板状の防振材９を配置した。尚、防振材９の厚さ寸法は１０ｍｍ、長さ寸法は、側板５の上端面の長さ寸法と同じ２１０ｍｍとした。また、比較例１の試験モデル２１においては、図４に示す従来例と同様に、段板７から側板５まで貫通するように打ち込まれたビスによって段板７を固定した。一方、本発明１の試験モデル２２においては、貫通するビスは打ち込まず、防振材９に塗布した接着剤のみによって段板７を固定した。
【００３１】
図６に示す試験モデル２３（比較例２）及び、試験モデル２４（本発明２）はいずれも、左右の側板５，５と段板７の両端部との間に、図３に示す防振材９（平板状の基部９ａの一方の面において円柱状の突起９ｂが多数形成されている片面突起形状の防振材９）を、左右の側板５，５の各水平部に２枚ずつ、それぞれ間隔を置いて配置した。尚、一つの防振材９の厚さ寸法は１０ｍｍ、長さ寸法は６０ｍｍ（側板５の上端面の長さ寸法の約３０％）とした。また、比較例２の試験モデル２３においては、図４に示す従来例と同様に、段板７から側板５まで貫通するように打ち込まれたビスによって段板７を固定した。一方、本発明２の試験モデル２４においては、貫通するビスは打ち込まず、防振材９に塗布した接着剤のみによって段板７を固定した。
【００３２】
尚、この試験は、騒音、振動の低減性能を確認するためのものであるため、本発明１の試験モデル２２（図５）及び本発明２の試験モデル２４（図６）において、図１、図２に示すような凹部５ｃは形成せず、各側板５の水平部は平坦な形状とした。
【００３３】
（防振材の形状／厚さ寸法／長さ寸法／横幅寸法）
比較例１：  平板状（図４参照）      ／１０ｍｍ／２１０ｍｍ／４０ｍｍ
本発明１：  平板状（図４参照）      ／１０ｍｍ／２１０ｍｍ／４０ｍｍ
比較例２：  片面突起形状（図３参照）／１０ｍｍ／  ６０ｍｍ／４０ｍｍ
本発明２：  片面突起形状（図３参照）／１０ｍｍ／  ６０ｍｍ／４０ｍｍ
【００３４】
（防振材の配置数）
比較例１：  ２枚（左右の側板５，５の各水平部に１枚ずつ）
本発明１：  ２枚（左右の側板５，５の各水平部に１枚ずつ）
比較例２：  ４枚（左右の側板５，５の各水平部に間隔を置いて２枚ずつ）
本発明２：  ４枚（左右の側板５，５の各水平部に間隔を置いて２枚ずつ）
【００３５】
（段板の固定態様）
比較例１：  段板７から側板５までビスを貫通させて固定
本発明１：  段板７と防振材９、及び、防振材９と側板５を接着固定（ビス不使用）
比較例２：  段板７から側板５までビスを貫通させて固定
本発明２：  段板７と防振材９、及び、防振材９と側板５を接着固定（ビス不使用）
【００３６】
比較例１，２（試験モデル２１，２３）、及び、本発明１，２（試験モデル２２，２４）における振動の計測結果を図７に示す。尚、図７のグラフにおける縦軸の数値は、図５及び図６に示すような防振材９を配置せず、側板５の上に段板７を直接載置して、３０ｃｍの高さからインパクトボール１１を落下させた場合の振動の計測結果との差を、低減量（ｄＢ）として表示したものである。
【００３７】
図７に示すように、１２５Ｈｚを中心とするオクターブバンド、２５０Ｈｚを中心とするオクターブバンド、及び、５００Ｈｚを中心とするオクターブバンドのいずれにおいても、段板７から側板５まで貫通するビスは打ち込まず、防振材９に塗布した接着剤のみによって段板７を固定した本発明１の試験モデル２２、及び、本願発明２の試験モデル２４は、段板７から側板５まで貫通するように打ち込まれたビスによって段板７を固定した比較例１の試験モデル２１、及び、比較例２の試験モデル２３よりも効果的に振動を低減できることが確認された。
【００３８】
また片面突起形状（図３参照）の防振材９を使用した本発明２の試験モデル２４は、平板状（図４参照）の防振材９を使用した本発明１の試験モデル２２よりも一層効果的に振動を低減できることが確認された。
【符号の説明】
【００３９】
１：静音階段、
５：側板、
５ａ：水平部、
５ｂ：垂直部、
５ｃ：凹部、
７：段板、
７ａ：溝、
８：蹴込み板、
８ａ：上端縁、
９：防振材、
９ａ：基部、
９ｂ：突起、
１１：インパクトボール、
１２：床板、
１４，１５：ビス、
２１：試験モデル（比較例１）、
２２：試験モデル（本発明１）、
２３：試験モデル（比較例２）、
２４：試験モデル（本発明２）
【図１】
2018071054.tif 000003
【図２】
2018071054.tif 000004
【図３】
2018071054.tif 000005
【図４】
2018071054.tif 000006
【図５】
2018071054.tif 000007
【図６】
2018071054.tif 000008
【図７】
2018071054.tif 000009